(57)【要約】【課題】フィルタの移動抵抗を抑えつつ、その移動距離を稼ぐことである。【解決手段】エアフィルタ（40）の塵埃を除去する回転ブラシ（51）が設けられた塵埃貯留容器（52）を備えている。上側および下側の伝動ベルト（67）にそれぞれフィルタ固定具（68）が取り付けられている。エアフィルタ（40）の一端が上側のフィルタ固定具（68）に固定され、他端が塵埃貯留容器（52）を通過した後湾曲状に折り返されて下側のフィルタ固定具（68）に固定されている。エアフィルタ（40）は、伝動ベルト（67）の駆動に伴って湾曲状に折り返しながら移動し、塵埃貯留容器（52）を通過する際に塵埃が除去される。【選択図】図２
2008286477.tif 000002
【特許請求の範囲】
【請求項１】
吸込口（22）から吸い込まれた空気中の塵埃を捕捉するエアフィルタ（40）を備えた空気調和装置の室内ユニットであって、
上記エアフィルタ（40）の途中に配置され、該エアフィルタ（40）に捕捉された塵埃を除去する塵埃除去手段（50）と、
上記エアフィルタ（40）の一端側が固定される第１固定部（68）と、エアフィルタ（40）の他端側が湾曲状に折り返されて固定される第２固定部（68）とを有し、上記第１固定部（68）と第２固定部（68）とを互いに反対方向に移動させて上記エアフィルタ（40）を上記塵埃除去手段（50）に対して往復移動させるフィルタ移動手段（60）とを備えている
ことを特徴とする空気調和装置の室内ユニット。
【請求項２】
請求項１において、
上記フィルタ移動手段（60）は、原動側プーリ（62）および従動側プーリ（64）と、これらプーリ（62,64）に巻き掛けられ、上記第１固定部（68）および第２固定部（68）が取り付けられる伝動ベルト（67）とを有するベルト伝動機構（61）を備えている
ことを特徴とする空気調和装置の室内ユニット。
【請求項３】
請求項２において、
上記塵埃除去手段（50）は、上記ベルト伝動機構（61）の原動側プーリ（62）または従動側プーリ（64）の側方に配置され、
上記エアフィルタ（40）は、上記第１固定部（68）から延びて上記塵埃除去手段（50）を通過した後に湾曲状に折り返される
ことを特徴とする空気調和装置の室内ユニット。
【請求項４】
請求項２において、
上記塵埃除去手段（50）は、上記エアフィルタ（40）の移動によって該エアフィルタ（40）から塵埃を除去するブラシ部材（51）と、該ブラシ部材（51）によって除去された塵埃が貯留される塵埃貯留容器（52）とを備えている
ことを特徴とする空気調和装置の室内ユニット。
【請求項５】
請求項３において、
上記フィルタ移動手段（60）は、上記第１固定部（68）に固定される側のエアフィルタ（40）が上記塵埃除去手段（50）に対して水平に往復動するように構成される一方、
上記フィルタ移動手段（60）は、上記第１固定部（68）に固定される側のエアフィルタ（40）の往復動をガイドするガイド部材（71,72）を備えている
ことを特徴とする空気調和装置の室内ユニット。
【発明の詳細な説明】
【技術分野】
【０００１】
本発明は、空気調和装置の室内ユニットに関し、特に、エアフィルタの除塵対策に係るものである。
【背景技術】
【０００２】
従来より、空気の吸込口にエアフィルタを備えた空気調和装置の室内ユニットとして、エアフィルタに捕捉された塵埃を除去するための塵埃除去手段を備えたものが知られている。例えば、特許文献１に開示されている室内ユニットは、エアフィルタを移動させながら該エアフィルタの塵埃を除去している。
【０００３】
具体的に、特許文献１の室内ユニットは、上部に吸込口が、下部に吹出口がそれぞれ形成されている。室内ユニット内には、吸込口から吹出口へ向かって順に、エアフィルタ、室内熱交換器および送風ファン（室内ファン）が配置されている。また、室内ユニット内には、エアフィルタの塵埃を除去する塵埃除去ボックスと、エアフィルタを保持するフィルタ保持手段と、エアフィルタを縦方向に往復動させる駆動手段とが設けられている。
【０００４】
上記塵埃除去ボックスは、横長に形成された半割状の表側ボックスと裏側ボックスで構成され、この２つのボックスがエアフィルタを挟んだ状態で配置されている。塵埃除去ボックスの端部には、吸引ファンが接続されている。塵埃除去ボックスでは、吸引ファンの吸引によってボックス内部に位置するエアフィルタの塵埃が除去される。
【０００５】
上記フィルタ保持手段は、エアフィルタの案内路を構成している。フィルタ保持手段は、吸込口から前面パネルまで延び、そこから前面パネルに沿って下降した後に、吸込口に向かってＵ字状に曲がる案内路に形成されている。また、駆動手段は、フィルタ保持手段から一部露出してエアフィルタの裏面に噛合および当接するピニオンおよびゴムローラと、このピニオンおよびゴムローラを回転駆動するモータとを備えている。
【０００６】
エアフィルタの塵埃除去時には、モータが駆動されてピニオンおよびゴムローラが回転することにより、エアフィルタがその縦方向に往復動する。これにより、エアフィルタが塵埃除去ボックスを通過していき、エアフィルタの全面において塵埃が除去される。そして、フィルタ保持手段のＵ字状によってエアフィルタを屈曲させるので、エアフィルタの移動距離を稼ぐことができる。そのため、エアフィルタをユニット外に露出させることなく清掃でき、美観を損ねることはない。
【特許文献１】特開２００７−９３１４７号公報
【発明の開示】
【発明が解決しようとする課題】
【０００７】
しかしながら、上述した特許文献１の室内ユニットでは、エアフィルタをＵ字状の案内路で屈曲させて移動させるため、その移動動力が必要以上に大きくなってしまうという問題があった。つまり、エアフィルタは、屈曲部分が反り返ろうとして、特に先端部が案内路に接触してしまう。この接触抵抗により、エアフィルタの移動動力が大きくなる。その結果、モータ容量が大きくなり、装置のコスト高および大型化に繋がるという問題があった。
【０００８】
本発明は、斯かる点に鑑みてなされたものであり、その目的は、エアフィルタを移動させて塵埃を除去する機能を備えた空気調和装置の室内ユニットにおいて、移動抵抗を大きくすることなく、エアフィルタの移動距離を効果的に稼ぐことである。
【課題を解決するための手段】
【０００９】
第１の発明は、吸込口（22）から吸い込まれた空気中の塵埃を捕捉するエアフィルタ（40）を備えた空気調和装置の室内ユニットを前提としている。そして、本発明は、上記エアフィルタ（40）の途中に配置され、該エアフィルタ（40）に捕捉された塵埃を除去する塵埃除去手段（50）と、上記エアフィルタ（40）の一端側が固定される第１固定部（68）と、エアフィルタ（40）の他端側が湾曲状に折り返されて固定される第２固定部（68）とを有し、上記第１固定部（68）と第２固定部（68）とを互いに反対方向に移動させて上記エアフィルタ（40）を上記塵埃除去手段（50）に対して往復移動させるフィルタ移動手段（60）とを備えているものである。
【００１０】
上記の発明では、吸込口（22）から吸い込まれた空気がエアフィルタ（40）を通過する際に、空気中の塵埃がエアフィルタ（40）に捕捉される。エアフィルタ（40）の清掃時には、第１固定部（68）と第２固定部（68）が移動することにより、エアフィルタ（40）が塵埃除去手段（50）に対して往復動する。つまり、第１固定部（68）が塵埃除去手段（50）へ向かって移動するときは、第２固定部（68）が塵埃除去手段（50）から離れる方向に移動する。また、逆に、第１固定部（68）が塵埃除去手段（50）から離れる方向に移動するときは、第２固定部（68）が塵埃除去手段（50）へ向かって移動する。これにより、エアフィルタ（40）が湾曲状に折り返しながら移動する。その際、エアフィルタ（40）は、塵埃除去手段（50）によって塵埃が除去されて清掃される。
【００１１】
第２の発明は、上記第１の発明において、上記フィルタ移動手段（60）は、原動側プーリ（62）および従動側プーリ（64）と、これらプーリ（62,64）に巻き掛けられ、上記第１固定部（68）および第２固定部（68）が取り付けられる伝動ベルト（67）とを有するベルト伝動機構（61）を備えているものである。
【００１２】
上記の発明では、例えば図２に示すように、第１固定部（68）および第２固定部（68）がベルト伝動機構（61）によって互いに反対方向に移動する。つまり、伝動ベルト（67）の駆動に伴って第１固定部（68）および第２固定部（68）が同期して移動する。これにより、確実にエアフィルタ（40）が湾曲状に折り返しながら移動する。
【００１３】
第３の発明は、上記第２の発明において、上記塵埃除去手段（50）は、上記ベルト伝動機構（61）の原動側プーリ（62）または従動側プーリ（64）の側方に配置されている。そして、上記エアフィルタ（40）は、上記第１固定部（68）から延びて上記塵埃除去手段（50）を通過した後に湾曲状に折り返されるものである。
【００１４】
上記の発明では、例えば、第１固定部（68）側のエアフィルタ（40）が塵埃除去手段（50）を通過した後、湾曲状に折り返して移動する。また、第２固定部（68）側のエアフィルタ（40）は、湾曲状に折り返した後、塵埃除去手段（50）を通過して移動する。
【００１５】
第４の発明は、上記第２の発明において、上記塵埃除去手段（50）は、上記エアフィルタ（40）の移動によって該エアフィルタ（40）から塵埃を除去するブラシ部材（51）と、該ブラシ部材（51）によって除去された塵埃が貯留される塵埃貯留容器（52）とを備えているものである。
【００１６】
上記の発明では、エアフィルタ（40）が塵埃除去手段（50）を通過する際、エアフィルタ（40）の塵埃がブラシ部材（51）によって掻き取られる（除去される）。除去された塵埃は、塵埃貯留容器（52）に貯留される。
【００１７】
第５の発明は、上記第３の発明において、上記フィルタ移動手段（60）は、上記第１固定部（68）に固定される側のエアフィルタ（40）が上記塵埃除去手段（50）に対して水平に往復動するように構成されている。一方、上記フィルタ移動手段（60）は、上記第１固定部（68）に固定される側のエアフィルタ（40）の往復動をガイドするガイド部材（71,72）を備えているものである。
【００１８】
上記の発明では、例えば図２に示すように、エアフィルタ（40）の往復動がガイド部材（71,72）によってガイドされるため、エアフィルタ（40）が弛むことなく水平に往復動する。
【発明の効果】
【００１９】
以上のように、本発明によれば、湾曲状に折り返したエアフィルタ（40）の両端が固定された各固定部（68）を移動させるようにした。したがって、折り返し用のガイド等を設けなくても、エアフィルタ（40）を湾曲状に折り返しながら移動（往復動）させることができる。そのため、折り返し部におけるエアフィルタ（40）の接触抵抗（移動抵抗）をなくしつつ、エアフィルタ（40）の移動距離を稼ぐことができる。これにより、エアフィルタ（40）の必要駆動力を低減することができると共に、ユニットのコンパクト化を図ることができる。
【００２０】
特に、第２の発明によれば、第１固定部（68）および第２固定部（68）をベルト伝動機構（61）によって移動させるようにしたので、確実に第１固定部（68）および第２固定部（68）の移動動作を同期させることができる。したがって、エアフィルタ（40）を滑らかに移動させることができる。
【００２１】
また、第５の発明によれば、水平移動するエアフィルタ（40）のガイド部材（71,72）を設けるようにしたので、エアフィルタ（40）の弛みを防止することができる。したがって、塵埃除去手段（50）に対してエアフィルタ（40）を抵抗なく通過させることができる。これにより、エアフィルタ（40）の必要駆動力を一層低減することができ、コスト削減を一層図ることができる。
【発明を実施するための最良の形態】
【００２２】
以下、本発明の実施形態を図面に基づいて詳細に説明する。
【００２３】
本実施形態は、本発明に係る室内ユニット（13）を備えた空気調和装置（10）である。この空気調和装置（10）では、室内ユニット（13）が室内空間の天井に設置される。なお、以下では、先ず本実施形態に係る空気調和装置（10）について説明し、次に本発明に係る室内ユニット（13）について説明する。
【００２４】
図１に示すように、上記空気調和装置（10）は、室外ユニット（11）と室内ユニット（13）とを備えている。室外ユニット（11）には、圧縮機（30）、室外熱交換器（35）、膨張弁（36）、四路切換弁（33）および室外ファン（12）が設けられている。室内ユニット（13）には、室内熱交換器（37）および室内ファン（39）が設けられている。
【００２５】
上記室外ユニット（11）において、圧縮機（30）の吐出側は、四路切換弁（33）の第１ポート（P1）に接続されている。圧縮機（30）の吸入側は、四路切換弁（33）の第３ポート（P3）に接続されている。
【００２６】
上記室外熱交換器（35）は、クロスフィン式のフィン・アンド・チューブ型熱交換器として構成されている。室外熱交換器（35）の一端は、四路切換弁（33）の第４ポート（P4）に接続されている。室外熱交換器（35）の他端は、液側閉鎖弁（15）に接続されている。
【００２７】
上記室外ファン（12）は、室外熱交換器（35）の近傍に設けられている。室外熱交換器（35）では、室外ファン（12）によって送られる室外空気と流通する冷媒との間で熱交換が行われる。室外熱交換器（35）と液側閉鎖弁（15）との間には、開度可変の膨張弁（36）が設けられている。また、四路切換弁（33）の第２ポート（P2）はガス側閉鎖弁（16）に接続されている。
【００２８】
上記四路切換弁（33）は、第１ポート（P1）と第２ポート（P2）が互いに連通し且つ第３ポート（P3）と第４ポート（P4）が互いに連通する第１状態（図１に実線で示す状態）と、第１ポート（P1）と第４ポート（P4）が互いに連通し且つ第２ポート（P2）と第３ポート（P3）が互いに連通する第２状態（図１に破線で示す状態）とが切り換え可能になっている。
【００２９】
この空気調和装置（10）では、四路切換弁（33）が第１状態の場合、暖房運転が行われ、四路切換弁（33）が第２状態の場合、冷房運転が行われる。暖房運転では、冷媒回路（18）において、室外熱交換器（35）が蒸発器として機能し且つ室内熱交換器（37）が凝縮器として機能する蒸気圧縮式冷凍サイクルが行われる。一方、冷房運転では、冷媒回路（18）において、室外熱交換器（35）が凝縮器として機能し且つ室内熱交換器（37）が蒸発器として機能する蒸気圧縮式冷凍サイクルが行われる。
【００３０】
〈室内ユニットの構成〉
図２から図４に示すように、上記室内ユニット（13）は、ケーシング本体（26）と化粧パネル（27）とを有するケーシング（34）を備えている。ケーシング（34）内には、室内熱交換器（37）、ドレンパン（38）、室内ファン（39）、エアフィルタ（40）、塵埃除去手段（50）およびフィルタ移動手段（60）が設けられている。
【００３１】
上記ケーシング本体（26）は、下側が開放された略直方体の箱状に形成されている。ケーシング本体（26）の内面には、断熱材（17）が積層されている。ケーシング本体（26）は、下部が天井板の開口に挿通する状態で設置される。
【００３２】
上記化粧パネル（27）は、矩形の板状に形成されている。化粧パネル（27）の平面視形状は、ケーシング本体（26）の平面視形状よりも一回り大きくなっている。化粧パネル（27）は、シール部材（19）を間に挟んだ状態でケーシング本体（26）の下側を覆うように取り付けられる。化粧パネル（27）がケーシング本体（26）に取り付けられた状態では、化粧パネル（27）が室内に露出する。
【００３３】
図５にも示すように、上記化粧パネル（27）には、１つの吸込口（22）と４つの吹出口（23）とが形成されている。吸込口（22）は、矩形状に形成され、化粧パネル（27）の中央部に形成されている。吸込口（22）には、スリット状に形成された吸込グリル（29）が嵌め込まれている。各吹出口（23）は、細長い矩形状に形成されている。各吹出口（23）は、化粧パネル（27）の各辺に沿うように形成されている。そして、各吹出口（23）には、風向調整板（23a）が設けられている（図２等参照）。この風向調整板（23a）は、回動して風向（吹出方向）を調整するものである。
【００３４】
上記室内ファン（39）は、いわゆるターボファンである。室内ファン（39）は、ケーシング本体（26）の中央付近に配置され、吸込口（22）の上側に位置している。室内ファン（39）は、ファンモータ（39a）と羽根車（39b）とを備えている。ファンモータ（39a）は、ケーシング本体（26）の天板に固定されている。羽根車（39b）は、ファンモータ（39a）の回転軸に連結されている。室内ファン（39）の下側には、吸込口（22）に連通するベルマウス（25）が設けられている。このベルマウス（25）は、ケーシング（34）内において、室内熱交換器（37）の上流側の空間を室内ファン（39）側と吸込グリル（29）側とに区画している。室内ファン（39）は、ベルマウス（25）を介して下側から吸い込んだ空気を周方向へ吹き出すように構成されている。
【００３５】
上記室内熱交換器（37）は、クロスフィン式のフィン・アンド・チューブ型熱交換器として構成されている。室内熱交換器（37）は、平面視でロ字状に形成され、室内ファン（39）の周囲を囲むように配置されている。室内熱交換器（37）では、室内ファン（39）によって送られる室内空気（吹出空気）と流通する冷媒との間で熱交換が行われる。
【００３６】
上記ドレンパン（38）は、室内熱交換器（37）の下側に設けられている。ドレンパン（38）は、室内熱交換器（37）において空気中の水分が凝縮して生じるドレン水を受けるためのものである。ドレンパン（38）には、ドレン水を排水するためのドレンポンプが設けられている（図示省略）。ドレンパン（38）は、ドレンポンプを設置した箇所にドレン水が集まるように勾配がつけられている。
【００３７】
上記エアフィルタ（40）は、長いシート状に形成され、ベルマウス（25）の下側（入口側）に配置されている。エアフィルタ（40）は、室内ファン（39）に吸い込まれる空気中の塵埃を捕捉する。そして、エアフィルタ（40）は、後述するフィルタ移動手段（60）によって前後方向へ往復動可能（移動可能）に構成されている。なお、ここでは、図２から図４における「左側」を「前側または前方」とし、「右側」を「後側または後方」とする。
【００３８】
上記塵埃除去手段（50）は、エアフィルタ（40）に捕捉された塵埃を除去するためのものである。塵埃除去手段（50）は、ブラシ部材である回転ブラシ（51）と、塵埃を貯留させる塵埃貯留容器（52）とを備えている。
【００３９】
上記回転ブラシ（51）は、棒状のシャフト部と、シャフト部の周囲の複数の植毛により構成されたブラシ部とを備えている。回転ブラシ（51）は、塵埃貯留容器（52）のブラシ用開口（53）に設けられた状態で、エアフィルタ（40）の下側の前方寄りに配置されている。回転ブラシ（51）は、ブラシ部がエアフィルタ（40）に接触しており、エアフィルタ（40）の往復動によって該エアフィルタ（40）の塵埃を掻き取る（除去する）ように構成されている。
【００４０】
上記塵埃貯留容器（52）は、回転ブラシ（51）によって掻き取られた（除去された）塵埃が貯留される容器である。塵埃貯留容器（52）は、図６にも示すように、細長い直方体状の容器である。塵埃貯留容器（52）は、エアフィルタ（40）の下側の前方寄りにおいて該エアフィルタ（40）を横断するように配置されている。そして、上述したように、塵埃貯留容器（52）の上面に形成されたブラシ用開口（53）に回転ブラシ（51）が設けられている。
【００４１】
上記フィルタ移動手段（60）は、エアフィルタ（40）を所定位置に保持する一方、エアフィルタ（40）を回転ブラシ（51）に対して往復動させるものである。このフィルタ移動手段（60）は、ベルト伝動機構（61）と、ガイド部材（71,72）とを備えている。
【００４２】
上記ベルト伝動機構（61）は、原動側プーリ（62）と従動側プーリ（64）と伝動ベルト（67）とをそれぞれ２つずつ備えると共に、駆動モータ（66）を備えている。
【００４３】
図３に示すように、上記２つの原動側プーリ（62）は、互いにシャフト（65）によって連結された状態で、塵埃貯留容器（52）の後方に配置されている。２つの従動側プーリ（64）は、互いにシャフト（65）によって連結され、塵埃貯留容器（52）と原動側プーリ（62）との間の塵埃貯留容器（52）側に配置されている。これら塵埃貯留容器（52）、原動側プーリ（62）および従動側プーリ（64）は、互いに平行に並んでいる。また、各原動側プーリ（62）間および各従動側プーリ（64）間は、塵埃貯留容器（52）の長さと比較的同じだけ離れている。各伝動ベルト（67）は、同じ側の原動側プーリ（62）および従動側プーリ（64）を１組として、これらプーリ（62,64）に掛けられている。つまり、２つの伝動ベルト（67）は、互いに平行に並んで塵埃貯留容器（52）に対して直交するように延びている。
【００４４】
上記駆動モータ（66）は、原動側プーリ（62）のシャフト（65）に連結され、原動側プーリ（62）を可逆に回転駆動させるものである。これにより、２つの伝動ベルト（67）が同速で塵埃貯留容器（52）に対して往復動する。
【００４５】
上記各伝動ベルト（67）には、上側（図２において上側）の外周面と下側（図２において下側）の外周面にフィルタ固定具（68）が１つずつ取り付けられている。つまり、上側のフィルタ固定具（68）と下側のフィルタ固定具（68）は、伝動ベルト（67）の駆動に伴い、互いに反対方向に同期して往復動する。各フィルタ固定具（68）には、エアフィルタ（40）の長さ方向（前後方向）における両端が固定される。具体的に、図２に示すように、エアフィルタ（40）の後方側の一端は、上側のフィルタ固定具（68）に固定されている。一方、エアフィルタ（40）の前方側の他端は、塵埃貯留容器（52）の上方を越えた後、下方に湾曲状（円弧状）に折り返されて下側のフィルタ固定具（68）に固定されている。したがって、エアフィルタ（40）は、各フィルタ固定具（68）の往復動運動に応じて回転ブラシ（51）に対し往復動する。なお、本実施形態では、上側のフィルタ固定具（68）および下側のフィルタ固定具（68）がそれぞれ本発明に係る第１固定部および第２固定部を構成している。
【００４６】
また、上記エアフィルタ（40）は、折り返し部においては下方に弛むようにフィルタ固定具（68）に固定されている。つまり、エアフィルタ（40）は、折り返し部において塵埃貯留容器（52）に接触しないように湾曲している。これにより、エアフィルタ（40）と塵埃貯留容器（52）の接触抵抗がなくなる。
【００４７】
上記ガイド部材（71,72）は、ベルマウス（25）の下方空間において、エアフィルタ（40）の両側方（図３および図４において上側および下側）に配置されている。ガイド部材（71,72）は、板状の上側ガイド部材（71）および下側ガイド部材（72）を１組として、エアフィルタ（40）の各側方に設けられている。
【００４８】
具体的に、上側ガイド部材（71）および下側ガイド部材（72）は、互いに、上下に一定間隔を存して並列し、エアフィルタ（40）の側辺（図４における上側および下側の辺）に沿って配置されている。下側ガイド部材（72）は、エアフィルタ（40）の側辺部の下方に位置し、概ね原動側プーリ（62）に対応する位置から従動側プーリ（64）に対応する位置まで真っ直ぐ延びている。上側ガイド部材（71）は、エアフィルタ（40）の側辺部の上方に位置し、概ね原動側プーリ（62）の位置からエアフィルタ（40）の折り返し部を越える位置まで真っ直ぐ延びている。つまり、エアフィルタ（40）の両側辺部が上側ガイド部材（71）と下側ガイド部材（72）との間に挿入され、エアフィルタ（40）の往復動運動がガイドされる。
【００４９】
また、図２に示すように、上側ガイド部材（71）の前方側の先端は、下方に円弧状に屈曲する円弧部（71a）になっている。この円弧部（71a）は、上側ガイド部材（71）と下側ガイド部材（72）の間にエアフィルタ（40）を容易に挿入するためのものである。エアフィルタ（40）を円弧部（71a）に沿って挿入すれば、容易にエアフィルタ（40）をガイド部材（71,72）に装着することができる。
【００５０】
〈フィルタ清掃動作〉
先ず、通常運転（通常の冷房運転や暖房運転）では、エアフィルタ（40）が図２で示す位置および状態で保持される。室内ファン（39）が駆動されると、室内空気が吸込口（22）から吸い込まれてエアフィルタ（40）およびベルマウス（25）を通過して、室内ファン（39）から吹き出される。ここで、室内空気は、エアフィルタ（40）を通過する際に塵埃が捕捉される。室内ファン（39）から吹き出した空気は、室内熱交換器（37）の冷媒と熱交換して冷却または加熱された後、各吹出口（23）から室内へ供給される。
【００５１】
次に、エアフィルタ（40）に捕捉された塵埃を除去するフィルタ清掃運転（フィルタ清掃動作）について、図７を参照しながら説明する。このフィルタ清掃運転では、室内ファン（39）が停止され、フィルタ移動手段（60）の駆動モータ（66）が駆動される。
【００５２】
先ず、駆動モータ（66）が駆動されると、原動側プーリ（62）が図７において左回り（反時計回り）に回転して、伝動ベルト（67）が駆動する。これにより、上側のフィルタ固定具（68）が左方向（前方）へ向かって移動する一方、下側のフィルタ固定具（68）が右方向（後方）へ移動する。このフィルタ固定具（68）の移動に伴って、エアフィルタ（40）が移動する。具体的に、ベルト伝動機構（61）よりも上側に位置するエアフィルタ（40）（以下、単に上側のエアフィルタ（40）という。）は、左方向（前方）に水平移動し、回転ブラシ（51）によって塵埃が掻き取られる（除去される）。また、ベルト伝動機構（61）よりも下側に位置するエアフィルタ（40）（以下、単に下側のエアフィルタ（40）という。）は、右方向（後方）に移動する。そして、エアフィルタ（40）の所定範囲が回転ブラシ（51）を通過すると、駆動モータ（66）が一旦停止される。
【００５３】
次に、再び駆動モータ（66）が上記とは逆回転で駆動される。そうすると、原動側プーリ（62）が図７において右回り（時計回り）に回転するので、上側のフィルタ固定具（68）が左方向（前方）へ移動、下側のフィルタ固定具（68）が右方向（後方）へ移動する。このフィルタ固定具（68）の移動に伴って、エアフィルタ（40）が上記とは逆方向に移動して通常運転時の位置に戻る。
【００５４】
このように、エアフィルタ（40）は、折り返し用のガイドを設けなくても、塵埃貯留容器（52）に対して折り返されて往復動する。したがって、このエアフィルタ（40）の往復動では、折り返し用のガイドとエアフィルタ（40）との接触抵抗は発生しない。そのため、エアフィルタ（40）のための駆動力が低減される。
【００５５】
−実施形態の効果−
本実施形態では、湾曲状に折り返されたエアフィルタ（40）の両端を各フィルタ固定具（68）に固定し、ベルト伝動機構（61）によって各フィルタ固定具（68）を移動させるようにした。したがって、エアフィルタ（40）の折り返し部にガイド等を設けなくても、エアフィルタ（40）を確実に折り返しながら移動させることができる。そのため、折り返し部において、エアフィルタ（40）の特に先端部の接触抵抗（移動抵抗）をなくすことができる。これにより、エアフィルタ（40）の駆動力を低減しつつも、エアフィルタ（40）の移動距離を稼ぐことができる。その結果、駆動モータ（66）の容量削減、並びにユニットのコンパクト化を図ることができる。
【００５６】
また、本実施形態では、エアフィルタ（40）のガイド部材（71,72）を設けるようにした。したがって、上側のエアフィルタ（40）がその自重で弛むのを防止して、そのエアフィルタ（40）を確実に水平に往復動させることができる。これにより、特に、エアフィルタ（40）が回転ブラシ（51）を通過する際の抵抗を抑制することができる。そのため、エアフィルタ（40）の駆動力を一層低減することができ、駆動モータ（66）の容量を削減することができる。
【００５７】
また、本実施形態では、エアフィルタ（40）を折り返し部において下方に弛ませて湾曲させるようにした。折り返し部において、エアフィルタ（40）が塵埃貯留容器（52）に接触するのを確実に防止することができる。これにより、エアフィルタ（40）の駆動力を一層低減することができる。
【００５８】
《その他の実施形態》
上記実施形態は、以下のように構成してもよい。
【００５９】
例えば、上記実施形態では、ベルト伝動機構（61）を用いて上側および下側のフィルタ固定具（68）を互いに反対方向に移動させるようにしたが、本発明はこれに限るものではない。つまり、エアフィルタ（40）を全くの正反対ではなく１８０°より小さい角度で折り返す場合が考えられる。この場合、下側のフィルタ固定具（68）は、エアフィルタ（40）の折り返し方向に沿って往復動させることになり、上側のフィルタ固定具（68）とは概ね反対方向に移動させることになる。このように、本発明は、エアフィルタ（40）を湾曲状に折り返して移動させるように、各フィルタ固定具（68）を互いに移動させればよい。言い換えれば、本発明は、折り返されたエアフィルタ（40）の長さ方向において、各フィルタ固定具（68）を互いに同じ方向に移動させることができれば、ベルト伝動機構（61）以外の駆動機構を用いてもよい。
【００６０】
また、上記実施形態では、エアフィルタ（40）を折り返し部において下方に弛ませるようにしたが、本発明は、エアフィルタ（40）を弛みなく折り返すようにしても勿論よい。つまり、この場合、エアフィルタ（40）は、塵埃貯留容器（52）の前方壁に接触させながら折り返し、そのまま真っ直ぐ張られて下側のフィルタ固定具（68）に固定される。
【００６１】
また、上記実施形態では、室内天井に設置される室内ユニット（13）について説明したが、本発明はこれに限らず、室内の壁に設置されるいわゆる壁掛け式の室内ユニットであっても適用することができる。
【００６２】
なお、以上の実施形態は、本質的に好ましい例示であって、本発明、その適用物、あるいはその用途の範囲を制限することを意図するものではない。
【産業上の利用可能性】
【００６３】
以上説明したように、本発明は、フィルタを移動させて塵埃を除去する機能を備えた空気調和装置の室内ユニットとして有用である。
【図面の簡単な説明】
【００６４】
【図１】本発明の実施形態に係る空気調和装置の構成を示す配管系統図である。
【図２】本発明の実施形態に係る室内ユニットを示す縦断面図である。
【図３】本発明の実施形態に係る室内ユニットをエアフィルタを省略して示す横断面図である。
【図４】本発明の実施形態に係る室内ユニットを上側ガイド部材を省略して示す横断面図である。
【図５】本発明の実施形態に係る化粧パネルを下側から視て示す斜視図である。
【図６】本発明の実施形態に係る塵埃除去手段を示す斜視図である。
【図７】本発明の実施形態に係るフィルタ清掃運転時の室内ユニットを示す縦断面図である。
【符号の説明】
【００６５】
10          空気調和装置
13          室内ユニット
23          吸込口
40          エアフィルタ
50          塵埃除去手段
51          回転ブラシ（ブラシ部材）
52          塵埃貯留容器
60          フィルタ移動手段
61          ベルト伝動機構
62          原動側プーリ
64          従動側プーリ
67          伝動ベルト
68          フィルタ固定具（第１固定部、第２固定部）
71          上側ガイド部材（ガイド部材）
72          下側ガイド部材（ガイド部材）
【図１】
2008286477.tif 000003
【図２】
2008286477.tif 000004
【図３】
2008286477.tif 000005
【図４】
2008286477.tif 000006
【図５】
2008286477.tif 000007
【図６】
2008286477.tif 000008
【図７】
2008286477.tif 000009